(57)【要約】【課題】携帯端末を設置した状態で使用し易く且つ給電ケーブルが邪魔にならない電気機器を提供する。【解決手段】基部２の後部に支柱部３を設けた電気スタンド１において、基部２の上面部１２に設けられた載置受部１２Ａと、この載置受部１２Ａに設けられた孔部１６と、この孔部１６と連通する溝部２１，２１とを有し、この溝部２１が、基部２の上面から側面にかけて開放すると共に、孔部１６が、溝部２１の支柱部３側で且つ載置受部１２Ａの間に設けられるものである。給電ケーブル６３が接続された携帯端末６５を載置受部１２Ａと支柱部３とで支持して設置した際に、給電ケーブル６３が、載置受部１２Ａの間に設けられる孔部１６及びこの孔部１６と連通する溝部２１，２１に通されて、基部２の側部に引き出されるようにできるので、給電ケーブル６３が邪魔にならないようにすることができる。【選択図】図１０
2019102168.tif 000002
【特許請求の範囲】
【請求項１】
基部と、この基部の後部に設けられた起立部とを有する電気機器において、
前記基部の上面に設けられた載置受部と、この載置受部に設けられた孔部と、この孔部と連通する溝部とを有し、この溝部が、前記基部の上面から側面にかけて開放すると共に、前記孔部が、前記溝部の前記起立部側で且つ載置受部の間に設けられることを特徴とする電気機器。
【請求項２】
前記孔部が、前記溝部の深さ方向の上部において前記溝部と連通することを特徴とする請求項１記載の電気機器。
【請求項３】
前記孔部が、前記溝部の深さ方向の全域において前記溝部と連通することを特徴とする請求項２記載の電気機器。
【請求項４】
前記孔部が上下に貫通する貫通孔であり、この孔部の下端部と連通するように第二の溝部が前記基部の底部に設けられることを特徴とする請求項１記載の電気機器。
【請求項５】
給電部を備えることを特徴とする請求項１記載の電気機器。
【発明の詳細な説明】
【技術分野】
【０００１】
本発明は、机上や卓上に置いて使用する電気機器に関するものである。
【背景技術】
【０００２】
従来、この種の電気機器として、例えば、基部と、この基部に取り付けられた支柱部（本願発明の起立部に相当する）とを有し、前記基部に載置受部を設けることで、タブレット端末やスマートホン等の携帯端末を前記載置受部と支柱部とで支持して設置することができる照明装置が知られている（例えば、特許文献１参照。）。このような電気機器は、携帯端末を設置させることで、机上や卓上を広く使用することができる。
【先行技術文献】
【特許文献】
【０００３】
【特許文献１】特開２０１６−７２１２８号公報
【発明の概要】
【発明が解決しようとする課題】
【０００４】
前記電気機器に設置される携帯端末は、設置した状態で使用するばかりでなく、設置した状態で充電できるようにするのが望ましい。なお、このような携帯端末は、従来の携帯電話のような専用の充電接点を有さず、汎用性の高い接続端子（メス側）を設けるものが一般的である。そして、この接続端子（メス側）に接続される接続端子（オス側）は、給電ケーブルの先端に設けられる。即ち、携帯端末側の接続端子に充電用の接続端子を接続すると、携帯端末から給電ケーブルが伸びるような形になる。
【０００５】
しかしながら、このような携帯端末の多くは、通常使用姿勢における携帯端末の下部に接続端子が設けられる。従って、通常使用姿勢では、携帯端末の下部から下方に給電ケーブルが伸びるような形になるため、通常使用姿勢で設置して充電しながら使用し難いという問題があった。また、通常使用姿勢における側部や上部に接続端子を有する携帯端末では、通常使用姿勢で設置して充電しながら使用し易いという利点があるものの、接続された給電ケーブルが机上や卓上で邪魔になる虞があった。
【０００６】
本発明は以上の問題点を解決し、携帯端末を設置した状態で使用し易く且つ給電ケーブルが邪魔にならない電気機器を提供することを目的とする。
【課題を解決するための手段】
【０００７】
本発明の請求項１に記載の電気機器は、基部と、この基部の後部に設けられた起立部とを有する電気機器において、前記基部の上面に設けられた載置受部と、この載置受部に設けられた孔部と、この孔部と連通する溝部とを有し、この溝部が、前記基部の上面から側面にかけて開放すると共に、前記孔部が、前記溝部の前記起立部側で且つ載置受部の間に設けられるものである。
【０００８】
また、本発明の請求項２に記載の電気機器は、請求項１において、前記孔部が、前記溝部の深さ方向の上部において前記溝部と連通するものである。
【０００９】
また、本発明の請求項３に記載の電気機器は、請求項２において、前記孔部が、前記溝部の深さ方向の全域において前記溝部と連通するものである。
【００１０】
また、本発明の請求項４に記載の電気機器は、請求項１において、前記孔部が上下に貫通する貫通孔であり、この孔部の下端部と連通するように第二の溝部が前記基部の底部に設けられるものである。
【００１１】
更に、本発明の請求項５に記載の電気機器は、請求項１において、給電部を備えるものである。
【発明の効果】
【００１２】
本発明の請求項１に記載の電気機器は、以上のように構成することにより、給電ケーブルが接続された携帯端末を載置受部と起立部とで支持して設置した際に、前記給電ケーブルが、前記載置受部の間に設けられる孔部及びこの孔部と連通する溝部に通されて、前記基部の側部に引き出されるようにできるので、給電ケーブルが邪魔にならないようにすることができる。また、前記携帯端末が、通常使用姿勢における下部に給電端子を有するものであっても、前記載置受部の間に設けられる孔部に前記給電ケーブルが通されるので、前記携帯端末を通常使用姿勢で前記電気機器に設置することができ、これによって、前記携帯端末を設置した状態で使用し易くすることができる。
【００１３】
なお、前記孔部が、前記溝部の深さ方向の上部において前記溝部と連通することで、前記給電ケーブルの端子部分を前記孔部に配置した状態で、前記ケーブルの電線部分を前記溝部に通すことができる。
【００１４】
また、前記孔部が、前記溝部の深さ方向の全域において前記溝部と連通することで、前記給電ケーブルの端子部分を前記孔部に配置した状態で、この端子部分に負担をかけることなく前記ケーブルの電線部分を前記溝部に通すことができる。
【００１５】
また、前記孔部が上下に貫通する貫通孔であり、この孔部の下端部と連通するように第二の溝部が前記基部の底部に設けられることで、前記給電ケーブルを前記孔部から第二の溝部に通すこともできるので、前記給電ケーブルが邪魔にならないようにすることができる。
【００１６】
更に、給電部を備えることで、前記携帯端末への給電を容易に行うことができる。
【図面の簡単な説明】
【００１７】
【図１】本発明の実施例１を示す電子機器の斜視図である。
【図２】同、正面図である。
【図３】同、側面図である。
【図４】同、縦断面図である。
【図５】同、下部の拡大断面図である。
【図６】同、背面図である。
【図７】同、下部の斜視図である。
【図８】同、下部の平面図である。
【図９】同、底面図である。
【図１０】同、使用状態の斜視図である。
【図１１】本発明の実施例２を示す正面図である。
【発明を実施するための最良の形態】
【００１８】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１９】
以下、本発明の実施例１について、図１〜図１０に基づいて説明する。なお、主として、図２の正面図に基づいて、前後左右を規定する。即ち、図２における左側を左、右側を右として説明する。
【００２０】
１は本発明の電気機器である電気スタンドである。この電気スタンド１は、合成樹脂製の基部２と、この基部２の後部で該基部２の上に立設した合成樹脂製の支柱部３とを有し、この支柱部３が起立部である。前記支柱部３の上部に首部４が可動に設けられ、この首部４の先端に灯体５が可動に設けられる。
【００２１】
前記基部２は、前側の幅が後側の幅より広い平面視で略台形状の板状底面部１１を有し、載置面でもある被照射面に当接状態で載置される。また、前記基部２の上面たる上面部１２には、後述する携帯端末等を載置する載置受部１２Ａが設けられる。この例では、前記載置受部１２Ａは、板状をなす上面部１２の上面により構成されている。なお、前記上面部１２及び載置受部１２Ａは左右対称であるが、非対称でもよい。
【００２２】
前記基部２の載置受部１２Ａは、水平又は前側に向かって上向きに傾斜し、水平に配置した前記底面部１１に対して、０度乃至４５度、好ましくは、５度乃至３０度程度の角度をなす。また、前記基部２の周囲には、前側に向かって低くなるように傾斜した前面部１３と、後面部１４と、左，右側面部１５，１５が設けられる。そして、前記前面部１３は、前記上面部１２の前側と底面部１１の前側との間に設けられる。なお、前記上面部１２，前面部１３，後面部１４及び左，右側面部１５，１５は、それぞれ板状部材から形成される。このため、前記基部２の内部は中空である。
【００２３】
前記載置受部１２Ａの左右方向中央には、後述する溝部２１の位置より前記支柱部３側に孔部１６が形成される。即ち、左右の前記載置受部１２Ａの間に、前記孔部１６が位置する。この孔部１６は、前記上面部１２の載置受部１２Ａと底面部１１に開口する貫通孔であり、左右の内面部１７，１７を有し、これら左右の内面部１７，１７の間に形成される。そして、図８等に示すように、これら左右の内面部１７，１７は、平面視で後側から前側に間隔が広がる。また、左右の内面部１７，１７の後端同士が円弧状内面部１８により連結される。そして、左右方向中央の孔部１６により、後側の後側載置受部１２Ｕを残して、前記載置受部１２Ａが左右に分割される。
【００２４】
前記基部２には、前記孔部１６の前側左右に、該孔部１６と連通して、左右方向の溝部２１，２１が形成される。この例では、これら左右の溝部２１，２１は、前記上面部１２の前端側に形成される。これら左右の溝部２１，２１の左右外側は、前記左右の側面部１５，１５にそれぞれ開口する。左右の溝部２１，２１及び孔部１６の前側には、左右方向の前側内面部２２が位置する。なお、前記溝部２１の前後幅に比べて、前記孔部１６の前後幅及び左右最大幅は大きく形成される。
【００２５】
前記前側内面部２２は、前記前面部１３の上縁から垂設され、下方に向かって僅かに後向きに傾斜する。なお、前記前面部１３の上縁が前記上面部１２の前端１２Ｍである。
【００２６】
前記溝部２１の後側の左右に、左右の後側内面部２３，２３が位置する。これら左右の後側内面部２３，２３の内端と、前記孔部１６の左右の内面部１７，１７の前端とは、湾曲角部２４，２４により連結される。また、左右の後側内面部２３，２３は上面部１２の載置受部１２Ａの前側から下方に略垂直に垂設される。さらに、前記左右の溝部２１，２１の底部には、前記底面部１１より上方に、左右の溝底面部２５，２５が略水平に形成される。そして、左右の溝底面部２５，２５の左右方向中央側の内縁と前記底面部１１とが左右の傾斜曲面部２６，２６により連結される。これらの傾斜曲面部２６，２６は、中央に向かうほど傾きが大きくなるように形成される。前記左右の溝底面部２５，２５は、前記左右の側面部１５，１５に連通する。即ち、左右の溝部２１，２１は、その左右両端における全深さにおいて、左右の側面部１５，１５に開口する。そして、後側内面部２３の上縁を基準として、溝部２１の左右両端部における深さ寸法は、孔部１６の深さ寸法の０．５〜０・７倍程度である。
【００２７】
図２及び図８等に示すように、前記左右の傾斜曲面部２６，２６は対向して設けられる。そして、これら左右の傾斜曲面部２６，２６の間隔は、前記左右の内面部１７，１７の前側の間隔より広く形成される。また、前記傾斜曲面部２６と底面部１１との間に、前記孔部１６の前側下部を構成する前側孔部２７が形成される。この前側孔部２７は貫通孔である。そして、その前側孔部２７の左右に前記左右の溝部２１，２１が位置する。
【００２８】
図５、図６及び図９等に示すように、前記底面部１１の左右方向中央には、前後方向に伸びる第二の溝部３１が上側に凹んで形成される。この底面側溝部たる第二の溝部３１は、その前端が前記孔部１６の後下部に連結される。そして、前記第二の溝部３１と孔部１６との間には、図５等に示すように、後側から前側に向かうに従って高くなるように湾曲する湾曲部３２が形成される。
【００２９】
また、前記底面部１１の後部には、上側に凹んだ凹所３３が形成される。この凹所３３は、図９等に示すように、基部２に形成された凹所上面部３３Ｊと、凹所前面部３３Ｍと、左右の凹所側面部３３Ｓ，３３Ｓの間に形成され、図５に示すように、底面と後面が開口する。また、左右の凹所側面部３３Ｓ，３３Ｓの後端と前記基部２の左右の側面部１５，１５の下部後側との間には、湾曲部３４，３４が形成される。そして、前記凹所前面部３３Ｍの下部に、下側が開口した開口部３５が形成され、この開口部３５に前記第二の溝部３１の後端が連結される。これら開口部３５及び第二の溝部３１は、略同一形状で、断面略逆Ｕ字状をなす。
【００３０】
前記上面部１２の載置受部１２Ａには、前記孔部１６の左右に、シリコンゴム板等の摩擦の大きい滑り止め部材４１，４１がそれぞれ固定される。そして、これら滑り止め部材４１，４１の上面により、滑り止め部が構成される。また、これらの滑り止め部材４１の上面には、小凸部４２が複数形成される。
【００３１】
前記支柱部３は、前面が開口したケース本体４５と、このケース本体４５の前面開口部４５Ｋを塞ぐケース前面部４６とを備え、合成樹脂からなる。そして、この支柱部３の前面であるケース前面部４６が傾斜支持部である。また、前記支柱部３は、下方から上方に向かって左右幅及び前後幅が縮小する形状をなし、前記ケース前面部４６の上部が後退するように傾く。なお、この例では、ケース前面部４６の下部に前記上面部１２が一体に設けられる。また、前記ケース本体４５は、ケース後面部４７と、このケース後面部４７から前側に向かって相互の間隔が広がる左右のケース側面部４８，４８とを有し、これら左右のケース側面部４８，４８の前縁部間に前記前面開口部４５Ｋが形成される。
【００３２】
前記基部２の前記左右の側面部１５，１５の後部は、前記左右のケース側面部４８，４８の下部に連続して形成される。また、前記基部２の前記後面部１４は、前記ケース後面部４７に連続して形成される。
【００３３】
前記ケース後面部４７には、複数のボス部５１が前方に向かって突設され、このボス部５１に対応して、前記ケース前面部４６の後面に挿入ボス部５２が後方に向かって突出される。そして、この挿入ボス部５２の先端を前記ボス部５１の先端に係入し、このボス部５１の後方から挿通したネジ５３を、前記挿入ボス部５２に螺着することにより、前記ケース本体４５に前記ケース前面部４６を固定することができる。
【００３４】
図４に示すように、前記基部２と前記ケース本体４５には電源基板５５が内蔵される。そして、この電源基板５５の後部は、基板カバー５５Ａにより覆われる。また、図５に示すように、前記凹所前面部３３Ｍの上部にはコード用開口部５６が形成される。更に、このコード用開口部５６に電源コード５７が挿通保持され、この電源コード５７が前記電源基板５５に電気的に接続される。
【００３５】
また、図１等に示すように、基部２の外面である右の側面部１５には、給電部６１が設けられる。そして、この給電部６１は、給電プラグ６２を電気的に接続する接続口６１Ａが前後に並んで２つ設けられる。前記給電部６１には、前記電源基板５５から電気が供給される。
【００３６】
また、前記給電プラグ６２は給電ケーブル６３を備え、この給電ケーブル６３の先端に端子６４が設けられ、この端子６４が携帯端末６５の給電端子６８に接続される。前記携帯端末６５としては、携帯電話、スマートホン、タブレット端末、電子書籍端末等の情報通信可能な携帯型の電子機器が例示され、その前面に表示部６６を有する。そして、携帯端末６５が前記載置受部１２Ａに載置される載置物である。
【００３７】
前記首部４の内部には、それ自体が可撓性を有するフレキシブルシャフト４Ａが設けられる。
【００３８】
図４等に示すように、前記灯体５は、前記首部４の先端に連結された灯体ケース７１を備える。この灯体ケース７１の先端側には、フード部７２が先端側に向かって延設される。前記灯体ケース７１は合成樹脂製で、光を通さない不透明な材料からなる。なお、前記灯体５は、前記首部４の軸中心に対して、水平位置より上下それぞれ４５度程度回動可能である。また、前記灯体５は、前記首部４を屈曲させることにより、向きを自由に変更することができる。なお、この例の前記灯体５の水平位置とは、前記灯体ケース７１のフード部７２が水平線と略平行となる状態の位置を指す。
【００３９】
前記灯体５は、光源としての複数の照明用ＬＥＤ７３を有する。これらのＬＥＤ７３は、金属基板７４上に左右一列に複数並べて設けられ、前記フード部７２の下部開口部７５から外部に光を照射する。
【００４０】
更に、前記基部２の前面部１３には操作部が設けられる。この操作部は、中央にメインスイッチ７７、左右に調光スイッチ７８Ｌ，７８Ｒが設けられる。これらは、いずれもタッチ式の静電スイッチであり、前記電源基板５５に電気的に接続される。そして、前記メインスイッチ７７により、ＬＥＤ７３のオンオフ操作を行うことができ、右の調光スイッチ７８Ｒを操作することにより、光量を上げることができ、左の調光スイッチ７８Ｌを操作することにより、光量を下げることができる。なお、一例として、図示しないが、右の調光スイッチ７８Ｒにはプラスの図形が付され、左の調光スイッチ７８Ｌにはマイナスの図形が付される。また、図２の正面図では、スイッチ７７，７８Ｌ，７８Ｒを図示省略する。
【００４１】
次に、本実施例の作用について説明する。なお、前記電気スタンド１は、前記電源コード５７により、予め図示しない交流電源に接続されているものとする。そして、使用者が前記メインスイッチ７７を操作することで、前記灯体５に設けられた前記ＬＥＤ７３に電力が供給され、このＬＥＤ７３が発光する。
【００４２】
なお、前記ＬＥＤ７３に通電することで発生する熱は、前記金属基板７４を介して放熱体（図示せず）に移動し、この放熱体から放出される。
【００４３】
また、図１０に示すように、携帯端末６５を立て掛けて支持することができる。具体的には、前記携帯端末６５の下縁部６７を載置受部１２Ａの滑り止め部材４１に載置すると共に、携帯端末６５の後面上側をケース前面部４６、即ち支柱部３に立て掛ける。こうして、電気スタンド１にセットした携帯端末６５を使用することができ、また、ＬＥＤ７３により照明することもできる。
【００４４】
更に、電気スタンド１にセットした状態で、携帯端末６５を充電することができる。具体的には、左の側面部１５に位置する給電部６１に、給電プラグ６２を接続する。この場合、給電ケーブル６３が前側を向くように給電プラグ６２を接続することが好ましい。そして、給電ケーブル６３を左の側面部１５に開口する左の溝部２１に挿入し、端子６４を孔部１６に通し、端子６４を携帯端末６５の給電端子６８に挿入接続する。この場合、携帯端末６５の下縁部６７中央の給電端子６８に端子６４を接続する。特に、下縁部６７中央の給電端子６８に端子６４を接続し、端子６４が孔部１６に位置するようにセットすると、携帯端末６５の通常の使用姿勢で使用しながら、充電することができる。この際、前記溝部２１の中央部に傾斜曲面部２６が形成されるので、前記給電ケーブル６３を緩やかに屈曲させることができる。従って、この給電ケーブル６３に負担をかけにくくすることができる。なお、左側面に給電端子６８を有する携帯端末６５の場合、給電ケーブル６３を右側から前記溝部２１に挿入し、左側から引き出して、端子６４を給電端子６８に接続するようにしても良い。また、給電ケーブル６３を右側から前記溝部２１に挿入し、孔部１６から引き出して、端子６４を給電端子６８に接続するようにしても良い。更に、右側面に給電端子６８を有する携帯端末６５の場合、給電ケーブル６３を溝部２１に挿入しなくても良い。給電ケーブル６３を頻繁に携帯する場合、このように、給電ケーブル６３を溝部２１の側部から挿入するようにすれば、簡単に給電ケーブル６３を電気スタンド１から取り外すことができるので、便利である。
【００４５】
また、給電プラグ６２の前後向きを変えて給電部６１に接続し、給電ケーブル６３を後側から第二の溝部３１内に配置し、先端の端子６４を孔部１６から上部に引き出し、端子６４を給電端子６８に接続し、携帯端末６５の下縁部６７を載置受部１２Ａに載置することもできる。この際、前記第二の溝部３１の前端に湾曲部３２が形成されるので、この湾曲部３２に沿って前記給電ケーブル６３を緩やかに屈曲させることができる。従って、この給電ケーブル６３に負担をかけにくくすることができる。このようにすると、基部２において、給電プラグ６２の前側に給電ケーブル６３が露出しないばかりでなく、端子６４も露出しない。なお、側面に給電端子６８を有する携帯端末６５の場合、給電ケーブル６３を孔部１６又は溝部２１の側部から引き出して、端子６４を給電端子６８に接続するようにしても良い。給電ケーブル６３を頻繁に携帯しない場合、このように、給電ケーブル６３を第二の溝部３１から挿入するようにすれば、より給電ケーブル６３が目立たないようにすることができる。
【００４６】
以上のように、本実施例では、基部２と、この基部２の後部に設けられた起立部たる支柱部３とを有する電気機器たる電気スタンド１において、前記基部２の上面たる上面部１２に設けられた載置受部１２Ａと、この載置受部１２Ａに設けられた孔部１６と、この孔部１６と連通する溝部２１，２１とを有し、この溝部２１が、前記基部２の上面部１２から側面たる側面部１５にかけて開放すると共に、前記孔部１６が、前記溝部２１の前記支柱部３側で且つ載置受部１２Ａの間に設けられるものであり、給電ケーブル６３が接続された携帯端末６５を載置受部１２Ａと支柱部３とで支持して設置した際に、前記給電ケーブル６３が、前記載置受部１２Ａの間に設けられる孔部１６及びこの孔部１６と連通する溝部２１に通されて、前記基部２の側部に引き出されるようにできるので、給電ケーブル６３が邪魔にならないようにすることができる。
【００４７】
また、前記携帯端末６５が、通常使用姿勢における下部たる下縁部６７に給電端子６８を有するものであっても、前記載置受部１２Ａの間に設けられる孔部１６に前記給電ケーブル６３が通されるので、前記携帯端末６５を通常使用姿勢で前記電気スタンド１に設置することができ、これによって、前記携帯端末６５を設置した状態で使用し易くすることができる。
【００４８】
なお、本実施例では、前記孔部１６が、少なくとも前記溝部２１の深さ方向の上部において前記溝部２１と連通するから、前記給電ケーブル６３の端子６４部分を前記孔部１６に配置した状態で、前記給電ケーブル６３の電線部分を前記溝部２１に通すことができる。
【００４９】
また、本実施例では、前記孔部１６が、前記溝部２１の深さ方向の全域において前記溝部２１と連通するから、前記給電ケーブル６３の端子６４部分を前記孔部１６に配置した状態で、この端子６４部分に負担をかけることなく前記給電ケーブル６３の電線部分を前記溝部２１に通すことができる。
【００５０】
また、本実施例では、前記孔部１６が上下に貫通する貫通孔であり、この孔部１６の下端部と連通するように第二の溝部３１が前記基部２の底部たる底面部１１に設けられるから、前記給電ケーブル６３を前記孔部１６から第二の溝部３１に通すこともできるので、使い方のバリエーションが増えると共に、前記給電ケーブル６３がより邪魔にならないようにすることができる。
【００５１】
更に、本実施例では、給電部６１を備えるから、前記携帯端末６５への給電を容易に行うことができる。
【００５２】
また、実施例上の効果として、孔部１６の左右の内面部１７，１７は、平面視で後側から前側に向かって間隔が広がるから、給電ケーブル６３を孔部１６の後端の円弧状内面部１８に位置合わせし易い。また、前記孔部１６の左右の内面部１７，１７が、平面視で後側から前側に向かって間隔が広がるから、溝部２１から孔部１６内に給電ケーブル６３をスムーズに引き廻すことができる。また、前記溝部２１の後側に位置する左右の後側内面部２３，２３の内端と、前記孔部１６の左右の内面部１７，１７の前側とが、湾曲角部２４，２４により連結されているから、溝部２１から孔部１６内に給電ケーブル６３をよりスムーズに引き廻すことができる。更に、第二の溝部３１と孔部１６との間には、後側から上側に湾曲する湾曲部３２が形成されているから、給電ケーブル６３が角部に引っ掛からず、給電ケーブル６３を孔部１６までスムーズに引き廻すことができる。また、基部２に給電部６１を設け、給電部６１の接続口６１Ａが溝部２１の高さ範囲内に位置するから、給電プラグ６２が使い易いものとなる。さらに、第二の溝部３１は、基部２の底面部１１の後部に開口するから、給電ケーブル６３を後側に隠すことができる。また、前記前側孔部２７の左右幅が前記孔部１６の左右幅より広く、図９に示すように、前記前側孔部２７の左右に、前記溝部２１と略前後幅の等しい孔拡大部２７Ａ，２７Ａが設けられるから、前記給電ケーブル６３を前記溝部２１から挿入させて、前記端子６４を前記携帯端末６５の給電端子６８に接続する場合、前記給電ケーブル６３を前記孔拡大部２７Ａに逃がすことができるので、前記給電ケーブル６３をより緩やかに湾曲させて、この給電ケーブル６３により負担がかからないようにすることができる。
【実施例２】
【００５３】
図１１は本発明の実施例２を示し、上記実施例１と同一部分に同一符号を付し、その説明を省略して詳述する。なお、図１１の正面図では、スイッチ７７，７８Ｌ，７８Ｒを図示省略する。同図は孔部１６の変形例を示す。実施例２の孔部１６は、その下部が孔底面部１６Ｔにより塞がれている。そして、この孔底面部１６Ｔに向かって左右から前記溝底面部２５が低くなるように、傾斜曲面部２６，２６が設けられる。また、前記孔部１６の下部が塞がれているから、第二の溝部３１は設けられない。なお、第二の溝部３１を設けてもよいが、この場合、第二の溝部３１が前記孔部１６に連通しないから、前記第二の溝部３１に給電ケーブル６３を配置することはできない。
【００５４】
このように本実施例では、前記孔部１６が、前記溝部２１の深さ方向の少なくとも上部において、この溝部２１と連通し、また、前記孔部１６が、前記溝部２１の深さ方向の全域において、この溝部２１と連通するから、上記実施例１と同様な作用・効果を奏する。
【００５５】
なお、本発明は以上の実施例に限定されるものではなく、発明の要旨の範囲内で種々の変形実施が可能である。例えば、基部及び起立部の形状は適宜選定可能である。また、実施例では、基部の右側面部に給電部を設けたが、電気スタントの底面部以外の外面であれば、給電部を基部の前面部や左側面部に設けたり、起立部の前面以外の外面などに設けたりしてもよい。また、孔部の孔底面部を溝底面部より高い位置に設けてもよい。即ち、孔部より溝部が深くてもよい。この場合、前記孔部が、前記溝部の深さ方向の上部において前記溝部と連通する。さらに、第二の溝部は、基部の後部以外に開口していてもよく、この場合も、給電部を含んだ給電部の位置より後側が好ましく、特に、給電部を含んだ給電部の位置より後側で基部の後部との間が好ましい。
【符号の説明】
【００５６】
１  電気スタンド（電気機器）
２  基部
３  支柱部（起立部）
１１  底面部（底面）
１２  上面部（上面）
１２Ａ  載置受部
１６  孔部
２１  溝部
３１  第二の溝部
６１  給電部
６５  携帯端末
【図１】
2019102168.tif 000003
【図２】
2019102168.tif 000004
【図３】
2019102168.tif 000005
【図４】
2019102168.tif 000006
【図５】
2019102168.tif 000007
【図６】
2019102168.tif 000008
【図７】
2019102168.tif 000009
【図８】
2019102168.tif 000010
【図９】
2019102168.tif 000011
【図１０】
2019102168.tif 000012
【図１１】
2019102168.tif 000013